(57)【要約】【課題】装置サイズを小型化にしつつ、受聴側で話者を識別させる。【解決手段】音源の位置を検出することで音源位置情報を生成し、収音手段に入力された音情報および前記音源位置情報を送信・受信し、領域数以上ある発光素子を備え、それぞれの発光素子とそれぞれの領域とは対応しており、受信した音源位置情報を用いて、音を発している音源が位置する領域に対応する発光素子を発光させることで当該音源が位置する領域を提示する。【選択図】図２
2010081027.tif 000002
【特許請求の範囲】
【請求項１】
音源の位置を検出することで音源位置情報を生成する位置検出部と、
収音手段に入力された音情報および前記音源位置情報を送信・受信する送受信部と、
発光素子と、
受信した音源位置情報を用いて、発光素子を発光させて、音を発している音源が位置する領域を提示する発光素子制御部と、
を具備する通信装置。
【請求項２】
請求項１記載の通信装置であって、
前記発光素子は領域数以上あり、それぞれの領域は発光素子と対応しており、
前記発光素子制御部は、音を発している音源が位置する領域に対応する発光素子を発光させることを特徴とする通信装置。
【請求項３】
請求項２記載の通信装置であって、
それぞれの発光素子の発光色が異なることを特徴とする通信装置。
【請求項４】
請求項２または３記載の通信装置であって、
それぞれの発光素子の発光面の形状が異なることを特徴とする通信装置。
【請求項５】
請求項１記載の通信装置であって、
前記発光素子は複数あり、当該複数の発光素子の発光により、領域に対応した領域特定情報が提示され、
前記発光素子制御部は、音を発している音源が位置する領域に対応する領域特定情報を提示することを特徴とする通信装置。
【請求項６】
請求項１記載の通信装置であって、
前記発光素子は領域数以上の発光色を有し、当該発光色と領域とは対応しており、
前記発光素子制御部は、音を発している音源が位置する領域に対応する発光色で、前記発光素子を発光させることを特徴とする通信装置。
【発明の詳細な説明】
【技術分野】
【０００１】
この発明は、音を発する、遠隔の音源を視覚的に提示するものであり、例えば、音声を主に用いた遠隔通信において、相手側の話者情報を受聴側で視覚的に提示する通信装置に関する。
【背景技術】
【０００２】
遠隔地を通信網で結んで行われる通信会議は、遠隔地に出向く必要がなく、移動時間の短縮や出張費の削減が可能なため、ビジネス用途として広く利用されている。通信会議は映像を用いたＴＶ会議と、音声のみを用いた電話会議の２つのタイプに分けることが出来る。電話会議はＴＶ会議に比べて、使用する装置自体が小型のためにオフィスの色々な場所に持ち運ぶことが出来、手軽に利用できるという利点がある。しかし、電話会議は音声のみを用い映像がないため、ＴＶ会議に比べると話者の識別性が劣る（誰が話しているか分かりにくい）。また、現在、電話会議に使われている音声符号化方式（例えば、Ｇ７１１、Ｇ７２２など）はモノラル音声（音声チャネルが１つ）が主流であるため、相手側に複数の話者がいる場合、それら複数人の音声を１チャネルに加算（ミキシング）し、通信網を伝送して、自分側のスピーカからまとめて再生されるので、話者の識別性が更に悪くなると言う問題があった。このような問題を解決するために、以下の様な従来技術（特許文献１に記載）が提案されている。
【０００３】
この技術は、１チャネルの伝送線路を用いて、音声情報と話者位置情報とを伝送し、受信側で話者の音声と、話者位置を再現する技術である。図１に、従来の音声電話会議装置１００の機能構成例を示す。音声電話会議装置１００は、位置検出部２、エンコーダ部４、多重化部６、送受信部８、分離部１０、デコーダ部１２、再生部１４、制御部１６、収音手段１８、Ｓ（Ｓ≧２）個以上の再生手段２０とで構成されている。収音手段１８とは例えばマイクロホンであり、再生手段とは例えばスピーカである。また、自分がいる地点をα地点とし、相手がいる地点をβ地点とし、α地点の音声電話会議装置１００とβ地点の音声電話会議装置１００’とはネットワーク網１０５により接続されている。α地点の音声電話会議装置１００は、β地点にいる複数の話者のうち、誰が音声を発しているのかを提示しつつ、当該音声を再生手段２０により再生するものである。
【０００４】
まず、収音手段１８で話者の音声を収音し、アナログの音声情報Ｂを得る。エンコーダ部４は、アナログの音声情報Ｂをデジタル化する。デジタル化された音声情報Ｂは多重化部６に入力される。また、検出部２は、話者位置を示す話者位置情報Ａを生成する。話者位置情報Ａの生成手法の詳細については、「発明を実施するための最良の形態」で説明する。話者位置情報Ａは一旦、制御部１６に入力され、制御部１６は話者位置情報Ａを多重化部６に出力する。
【０００５】
多重化部６は、音声情報と話者位置情報を多重化することで、多重化情報Ｃを生成する。そして、送受信部８は、ネットワーク網１０５を通じて、多重化情報Ｃをβ地点にいる相手方の音声電話会議装置１００’に送信する。
【０００６】
送受信部８がβ地点の音声電話会議装置１００’からの多重化情報Ｃ’を受信すると、当該多重化情報Ｃ’は分離部１０に入力される。分離部１０は多重化情報Ｃ’を話者位置情報Ａ’と音声情報Ｂ’に分離する。話者位置情報Ａ’は制御部１６に入力され、音声情報Ｂ’はデコーダ部１２に入力される。デコーダ部１２は、デジタルの音声情報Ｂ’をアナログに変換し、再生部１４に入力される。再生部１４は、話者位置情報Ａ’を用いて該当する再生手段に切り替える。そして、切り替えられた再生手段により音声情報Ｂ’についての音声が再生される。当該再生部１４の切替えは、制御部１６により制御される。このようにして、話者の音声と位置を受信側で再生し、話者の識別性を向上させている。
【特許文献１】特許第３３０１４７３号
【発明の開示】
【発明が解決しようとする課題】
【０００７】
第１の課題として、聴覚的な提示により話者を識別させるために、再生手段（スピーカ）が複数必要となる。スピーカ数の増加により、音声電話会議装置１００
の装置サイズが大きくなることから、持ち運び難くなり利便性に欠ける。
【０００８】
第２の課題として、複数のスピーカは音声電話会議装置１００の筺体に実装され、持ち運べる程度の大きさで実現されている。話者位置を分離して再生するために（話者の音声を分離して受聴させるために）、複数のスピーカを十分に離して配置する必要がある。しかし、上述のように音声電話会議装置１００は持ち運べる程度の大きさであるため、複数のスピーカを接近させて（隣接するスピーカ間の距離が近づけて）配置せざるを得ない。そのため、音声電話会議装置１００を用いて、相手側の音声それぞれを複数のスピーカから再生（拡声）しても、話者位置を分離して再生することは難しい。つまり、複数のスピーカがあっても、それぞれが近くに位置するスピーカから音声が再生されるので、１つのスピーカから再生されている場合と変わらず、話者の識別性は低いものとなる。また、複数のスピーカ間の間隔を大きくすると、音声電話会議装置のサイズが大きくなってしまう。
【０００９】
この発明は、装置サイズを小さくしつつ、受聴側で適確に音声（音）を発している話者（音源）が位置する領域を提示することで話者を識別できる通信装置を提供する。
【課題を解決するための手段】
【００１０】
この発明の通信装置は、位置検出部と、送受信部と、発光素子と、発光素子制御部と、を具備する。位置検出部は、音源の位置を検出することで音源位置情報を生成する。送受信部は、収音手段に入力された音情報および前記音源位置情報を送信・受信する。発光素子制御部は、受信した音源位置情報を用いて、発光素子を発光させて、音を発している音源が位置する領域を提示する。
【発明の効果】
【００１１】
この発明の通信装置によれば、接続する再生手段を１つにすることができる。発光素子を接続するが、再生手段の複数接続に比べれば、装置サイズの増大はとても小さい。従って、従来と比較して装置サイズを小型化できる。また、受聴側で発光素子の発光（発光の色や位置等）により、話者が位置する領域を提示することで明確に話者を識別できる。発光素子同士が近接して配置されたとしても、受聴側では話者を明確に識別できるため、従来と比較して、話者の識別性を向上させることが出来る。
【発明を実施するための最良の形態】
【００１２】
以下に、発明を実施するための最良の形態を示す。なお、同じ機能を持つ構成部や同じ処理を行う過程には同じ番号を付し、重複説明を省略する。
【実施例１】
【００１３】
図２にこの実施例１の通信装置の機能構成例を示す。この実施例では、通信装置２００が、遠隔電話会議で用いられる場合を説明する。この例では、遠隔電話会議とは、α地点とβ地点とはお互いに遠隔であるとし、α地点にいる複数の人間と、β地点にいる複数の人間とがネットワーク網を通じて音声のみで（映像を使用せず）会議を行うことをいい、α地点には通信装置２００があり、β地点には通信装置２００’があるとする。通信装置２００および通信装置２００’はＩＮＳネット等のネットワーク網１０５で接続されている。また、ここでは「音源」とは「話者」を示し、「音源からの音」とは「話者からの音声」を示す。また、図２の例では、通信装置２００は、位置検出部２、エンコーダ部４、多重化部６、送受信部８、分離部１０、デコーダ部１２、制御部１６、発光素子制御部２２、増幅部２４、発光素子２６、スイッチ部２８、電源部３０、とで構成され、この実施例１では１つの収音手段および、１つの再生手段が接続されている例を説明する。例えば、収音手段とはマイクロホンであり、再生手段とはスピーカであり、発光素子とはＬＥＤ（Light Emitting Diode:発光ダイオード）である。また、通信装置２００’の構成は通信装置２００の構成と同様であるとし、通信装置２００’の各構成部および各情報の参照符号は、通信装置２００’のそれに「’」を付したものとする。例えば、位置検出部であれは位置検出部２’とし、音源位置情報であれば、音源位置情報Ａ’とする。また、以下の説明では、受聴側の手法が従来と異なり、送信側の手法は従来と同様である。まず、送信側の手法について説明する。
【００１４】
収音手段１で話者からの音声が収音されると、音声情報Ｂとなり、エンコーダ部４に入力される。そして、アナログの音声情報をデジタルに変換し、当該デジタルの音声情報Ｂは多重化部６に入力される。また、位置検出部２は、話者位置を検出することで、音源位置情報Ａを生成する。音源位置情報Ａとは、音声を発している話者が位置する領域を示すものである。話者位置を検出する手法の例として、収音手段１８を複数の方向に鋭い指向性を持つマイクロホンとし、音声が到来する方向を定める手法や、収音手段で収音された音声情報を用いて、周波数特性から判断する手法等がある。
【００１５】
多重化部６は、音源位置情報Ａおよび音声情報Ｂを多重化することで多重化情報Ｃを生成する。多重化の手法については、上記特許文献１の段落［０００９］に記載されているが念のため図３を用いて簡単に説明する。
【００１６】
ネットワーク網１０５がＩＮＳネットの場合、電話音声信号は、８ｋＨｚでサンプリングされ量子化８ビットで符号化し６４ｋｂ／ｓの伝送容量で通信されている。この際、量子化８ビットを１フレームとし、ネットワーク網１０５より８ｋＨｚのフレーム同期信号を各端末に送信することで送信側と受信側とのフレーム同期をとる方法などがある。本実施例において、音声データに話者位置データを割り込ませる場合に、このネットワーク網１０５を通じたフレーム同期を利用するのが最も簡単な方法である。図３の例では１フレーム（８ビット）を、音声情報Ｂに７ビット、話者位置情報Ａに１ビット、割り付けた例である。このようにして、音声情報Ｂにと話者位置情報Ａとの多重化を行う。
【００１７】
そして、送受信部８は、多重化情報Ｃをネットワーク網１０５を通じてβ地点の通信装置２００’の送受信部８’に送信する。＜送信側の説明以上＞
【００１８】
次に受聴側に処理の流れについて説明する。β地点の通信装置２００’の送受信部８’から、ネットワーク網１０５を通じて多重化情報Ｃ’を通信装置２００の送受信部８は受信する。多重化情報Ｃ’とはβ地点にいる複数の話者の音源位置情報Ａ’と音声情報Ｂ’が多重化されたものである。そして、多重化情報Ｃ’は分離部１０に入力される。分離部１０は多重化情報Ｃ’を分離することで、話者位置情報Ａ’と音声情報Ｂ’を生成する。話者位置情報Ａ’は制御部１６に入力され、音声情報Ｂ’はデコーダ部１２に入力される。
【００１９】
デコーダ部１２は、デジタルの音声情報Ｂ’をアナログに変換する。アナログに変換された音声情報Ｂ’は増幅部２４に入力され、振幅レベルが増幅され、１つの再生手段２０から放音される。
【００２０】
発光素子制御部２２は入力された音源位置情報を用いて、発光素子２６を発光させて、音を発している音源が位置する領域を提示する。つまり、この例では、α地点側にいる人間に、β地点にいる音声を発している話者（つまり、再生手段２０から再生されている音声を発している話者）が位置する領域を提示する。この実施例１では発光素子はＮ個ある。当該Ｎ個の発光素子が横一列に並べられている。このように、構造簡易化のために、Ｎ個の発光素子の配列を簡単にすることが望ましい。β地点の閉塞的空間（例えば、会議室）は、Ｍ個の領域に分けられており、発光素子を２６ｎ（ｎ＝１、．．．、Ｎ）と表記し、領域を６０ｍとする。また、遠隔電話会議において、一般的に、受聴側（α地点）の人間は、送信側（β地点）のＱ人の話者５５ｑ（ｑ＝１、．．．、Ｑ）それぞれがどの領域に位置しているのかを把握しており、それぞれの話者５５ｑは異なる領域６０ｍに位置しているとする。発光素子数Ｎは領域数Ｍ以上であるとし、つまり、Ｎ≧Ｍである。そして、発光素子２６ｎと領域６０ｍとを対応させる。この例では、２６１と６０１、２６２と６０２、．．．、２６Ｍと６０Ｍというように対応させる。残りの（Ｎ−Ｍ）個の発光素子については、何ら対応させる必要はない。
【００２１】
発光素子制御部２２は、音声を発している話者について、当該話者の時間的な発話区間中、当該話者が位置する領域に対応する発光素子を発光させる。そして、当該話者の時間的な無音区間中、話者が位置する領域に対応する発光素子は発光させない。また、話者の発話区間中、当該話者が位置する領域に対応する発光素子を発光させず、無音区間中に当該話者が位置する領域に対応する発光素子を発光させてもよい。当該発光の手法の詳細例を説明する。スイッチ部２８は、Ｎ個のスイッチ２８ｎ（ｎ＝１、．．．、Ｎ）で構成されており、スイッチ２８ｎのそれぞれは発光素子２６ｎそれぞれに対応して接続されている。そして、電源部３０の電力供給により、スイッチ２８ｎがＯＮ状態になると対応する発光素子２６ｎが発光し、スイッチ２８ｎがＯＦＦ状態になると対応する発光素子２６ｎは発光しない。発光素子制御部２２は、スイッチ２８ｎのＯＮ状態、ＯＦＦ状態の制御により、音源位置情報を用いて、音声を発している話者が位置する領域に対応する発光素子を発光させる。
【００２２】
具体的に説明する。ここでは、β地点（送信側）に３人（つまり、Ｑ＝３）いるとし、β地点の閉塞的空間が３つの領域に分けられているとし、３人の話者５５１〜５５３がそれぞれ異なる領域６０１〜６０３に位置しているとする。話者５５１が発声している場合、発光素子制御部２２に入力される音源位置情報Ａ’は領域６０１で発声されていることを示している（通信装置２００’の収音手段１８’で話者５５１の音声が収音されている）ので、発光素子制御部２２がスイッチ部２８中のスイッチ２８１をＯＮ状態にして、領域６０１に対応する発光素子２６１を発光させる。また、領域６０１と６０３とで発声されている場合（つまり、話者５５１と５５３とが発声している場合）には、発光素子制御部２２がスイッチ部２８中のスイッチ２８１および２８３をＯＮ状態にして、領域６０１と６０３に対応する発光素子２６１および２６３を発光させる＜具体的説明以上＞。
【００２３】
また、上述では、発光素子の数Ｎは領域数Ｍ以上あると説明したがＮ＝Ｍであることが望ましい。何故なら、領域数Ｍを多くすることで、領域の提示をより細かくできるからである。
また、発光素子は、ＬＥＤの他に、ランプ、液晶素子を用いれば良い。
【００２４】
このような通信装置２００の構成にすることで、従来と比べて再生手段２０の数を少なく、もしくは１つにすることが出来る。従って、通信装置の装置サイズを小さくすることが出来る。また、従来では、相手側の話者の識別のために、再生手段を複数備え、再生音を複数にすることで、聴覚的に話者を表示していた。しかし、この実施例では、複数の発光素子を備え、音声を発している話者が位置する領域に対応する発光素子を発光させることで、視覚的に音を発している音源の領域を提示し、結果として受聴側に音声を発している話者を識別させることが出来る。従って、通信装置（筺体）を持ち運べる程度の大きさにして、複数の発光素子同士が、接近して配置されても、発光素子の発光により、音声を発している話者を視覚的に提示できる。よって、装置サイズを小型化にしても、従来と比較して話者の識別性を向上させることが出来る。
【実施例２】
【００２５】
この実施例２では、実施例１で説明した通信装置２００と比べて、音声を発している話者位置をより明確に提示する通信装置３００を説明する。通信装置３００が、通信装置２００と比較して異なる点は、Ｎ個の発光素子２６ｎそれぞれの発光色が異なるようにしたことである。以下、それぞれの発光色が異なる発光素子２６ｎを発光素子４０ｎと表記する。例えば、発光素子数が３個であり、β地点の３人の話者５５１〜５５３がそれぞれ領域６０１〜６０３に位置し（つまり、Ｎ＝Ｍ＝３）、発光素子４０１、４０２、４０３、の発光色がそれぞれ赤色、緑色、黄色、とする。上述のように、発光素子４０１、４０２、４０３は、それぞれ領域６０１、６０２、６０３に対応している。そうすると、話者５５１が音声を発している発話区間では、発光素子制御部２２は、話者５５１が位置する領域６０１に対応する発光素子４０１を赤色に発光させる。また、話者５５１、話者５５３が音声を発している発話区間では、発光素子制御部２２は、領域６０１、６０３に対応する発光素子４０１、４０３をそれぞれ赤色、黄色に発光させる。
【００２６】
この実施例２のように、Ｎ個の発光素子の発光色がそれぞれ異なるようにすれば、通信装置２００と比較して、音声を発している話者の識別性がより向上する。
【実施例３】
【００２７】
この実施例３では、実施例１で説明した通信装置２００と比べて、音声を発している話者位置をより明確に提示する通信装置４００を説明する。通信装置４００が、通信装置２００と比較して異なる点は、Ｎ個の発光素子２６ｎのそれぞれの発光面の形状が異なるようにしたことである。以下、それぞれの形状が異なる発光素子を発光素子５０ｎと表記し、Ｎ＝Ｍ＝３とする。Ｎ＝３とした場合の発光素子５０ｎの例を図４に示す。図４の例では、発光素子５０１、５０２、５０３の発光面の形状はそれぞれ、円形、正方形、星型形状である。そうすると、話者５５１が音声を発している発話区間では、発光素子制御部２２は、領域６０１に対応する発光素子５０１を円形に発光させる。また、話者５５１、話者５５３が音声を発している発話区間では、発光素子制御部２２は、領域６０１、６０３に対応する発光素子４０１、４０３をそれぞれ円形に、星型に発光させる。
【００２８】
この実施例３のように、Ｎ個の発光素子の発光面の形状がそれぞれ異なるようにすれば、通信装置２００と比較して、音声を発している話者の識別性がより向上する。
【００２９】
また、実施例２で説明した概念（複数の発光素子の発光色がそれぞれ異なること）とを組み合わせることも出来る。例えば、上述のようにＮ＝３の場合のように、発光素子４０１の発光面を円形とし発光色を赤色とし、発光素子４０２の発光面を正方形とし発光色を緑色とし、発光素子４０３の発光面を星形とし発光色を黄色とすることも出来る。このような組み合わせにより、更に話者の識別性を向上させることが出来る。
【実施例４】
【００３０】
この実施例４では、実施例１で説明した通信装置２００と比べて、音声を発している話者位置をより明確に提示する通信装置５００を説明する。通信装置５００は、発光素子を複数具備し、当該複数の発光素子の発光により領域特定情報が形成される。ここで領域特定情報とは、領域ごとに割り振られ、領域を識別できるものであり、換言すれば領域特定情報と領域とは対応しているものである。
【００３１】
例えば、領域６０ｍ（ｍ＝１、．．．、Ｍ）それぞれに、領域特定情報を割り振る。例えば、領域特定情報として領域を識別するための識別番号とし、領域６０１、６０２、．．．、６０Ｍにはそれぞれ識別番号１、２、．．．、Ｍを割り振る。そして、発光素子制御部２２は、複数の発光素子を発光させることで、音声がスピーカから再生される時間区間では、当該音声を発している話者の位置する領域に対応する領域特定情報を提示する。
【００３２】
複数の発光素子６８で配置構成されるものを発光素子群７０とし、図５に、発光素子群７０の例を示す。図５に示すように、例えば、発光素子群７０の発光により、領域特定情報を提示する。図５では、領域特定情報「２」を提示しており、つまり、領域６０２で発声されている、つまり、話者５５２が発生していることを示す。
【００３３】
また、複数の発光素子を図５のように構成せず、図２の発光素子２６ｎのように構成してもよい。この場合には、領域特定情報（話者位置の識別番号）の値の個数分、発光素子２６ｎを発光させればよい。例えば、領域６０１で話者５５１が音声が発していれば、領域６０１の領域特定情報は「１」であるので、発光素子を１つ発光させる。また、領域６０３で話者５５３が音声を発していれば、話者５５３の領域特定情報は「３」であるので、発光素子を３つ発光させる。
【００３４】
また、領域特定情報は数字でなくとも、アルファベットやカタカナなど、領域を識別できる記号であれば何でも良い。
【００３５】
この実施例４の構成のように、複数の発光素子の発光により、音声を発している話者が位置する領域についての領域特定情報を形成することで、通信装置２００と比較して、話者の識別性が更に向上する。
【実施例５】
【００３６】
この実施例５では、実施例１で説明した通信装置２００と比べて、装置サイズを小さくし、かつ、音を発している音源をより明確に提示する通信装置６００を説明する。通信装置６００が、通信装置２００と比較して異なる点は、具備する発光素子が１つである点である。以下、この１つの発光素子を発光素子８０として、詳細に説明する。
【００３７】
発光素子８０は、複数の発光色を有し、当該複数の発光色と領域６０ｍのそれぞれとは対応している。そして、発光素子制御部２２は、音を発している音源に対応する発光色で、発光素子を発光させる。例えば、３人の話者５５１〜５５３がそれぞれ領域６０１〜６０３があるとし、発光素子８０は、３色の発光色を有するとする。発光色は赤色、緑色、黄色、とし、赤色は領域６０１、緑色は領域６０２、黄色は領域６０３に対応させるとする。そうすると、発光素子制御部２２は、話者５５１が音声を発している発話区間では、発光素子８０を領域６０１に対応する赤色に発光させる。また、発光素子制御部２２は、話者５５３が音声を発している発話区間では、発光素子８０は領域６０３に対応する黄色に発光させる。
【００３８】
この実施例５の通信装置６００は１つの発光素子８０を具備させればよい。従って、実施例２と比較して、装置サイズを小さく出来、かつ、話者の識別性も向上させることが出来る。
【００３９】
［変形例］
上記では、収音手段が１つの場合の実施例を説明した。変形例として、接続される収音手段がＰ個（Ｐ≧２）の場合を説明する。図６に変形例の通信装置７００の機能構成例を示し、収音手段の参照番号を１８ｐ（ｐ＝１、．．．、Ｐ）と表記する。この変形例の場合には、位置検出部２は、Ｐ個の収音手段１８ｐで得た音声情報Ａｐについての入力信号の時間波形や周波数スペクトルの相違を分析することで、話者位置情報Ｂを生成する。なお詳細は、上記特許文献１の段落［００１１］〜［００１６］などに記載されている。
【００４０】
このような変形例の構成をとることで、複数の音声情報Ａｐを用いることが出来るので、位置検出部２は、より正確な音源位置情報Ｂを生成できる。
【００４１】
また、以上の説明では、収音手段および再生手段は通信装置に含めなかったが、収音手段および再生手段のうち、少なくとも一方を含めたものとしても良い。また、発光素子の構成の手法は、話者を特定できるものであれば上記に限られない。
【図面の簡単な説明】
【００４２】
【図１】従来の音声電話会議装置の機能構成例を示した図。
【図２】実施例１の通信装置の機能構成例を示した図。
【図３】多重化処理を説明するための図。
【図４】実施例３の発光素子の例を示した図。
【図５】実施例４の発光素子群の例を示した図。
【図６】変形例の通信装置の機能構成例を示した図。
【図１】
2010081027.tif 000003
【図２】
2010081027.tif 000004
【図３】
2010081027.tif 000005
【図４】
2010081027.tif 000006
【図５】
2010081027.tif 000007
【図６】
2010081027.tif 000008